(57)【要約】【課題】ハードディスク装置の全シーンのデータをＤＶＤにダビングする時、現在挿入されている１枚のＤＶＤにどこまでのシーンが記録されることになるかを、ダビング開始前に容易に知ることができない。【解決手段】記録再生装置であって、第１の記録媒体から情報を再生する再生手段と、第２の記録媒体に情報を記録する記録手段と、再生手段から記録手段へ情報をダビングするとき、第２の記録媒体に応じて第１の記録媒体の情報のうち記録媒体にダビングする情報を選択するダビング情報選択手段と、ダビング情報選択手段で選択された情報を表示して確認を求める確認手段とを有する記録再生装置。【選択図】  図４
2007336116.tif 000002
【特許請求の範囲】
【請求項１】
記録再生装置であって、
第１の記録媒体から情報を再生する再生手段と、
第２の記録媒体に情報を記録する記録手段と、
前記再生手段から前記記録手段へ情報をダビングするとき、前記第２の記録媒体に応じて前記第１の記録媒体の情報のうち前記第２の記録媒体にダビングする情報を選択する選択手段と、
前記選択手段で選択された情報を表示して確認を求める確認手段とを有する記録再生装置。
【請求項２】
請求項１の記録再生装置であって、
前記選択手段は、前記第２の記録媒体の容量に応じて前記第１の記録媒体に記録された順に選択する。
【請求項３】
請求項１の記録再生装置であって、
前記選択手段は、所定のエントリポイント数またはプログラム数以内の情報を選択する。
【請求項４】
請求項１の記録再生装置であって、
前記選択手段は、前記第２の記録媒体の種類に対して前記第１の記録媒体に記録された情報を記録できるかを判断する。
【請求項５】
請求項４の記録再生装置であって、
前記第２の記録媒体がＤＶＤ−Ｒのとき、又は、前記第２の記録媒体がＤＶＤ−ＲＷ且つＶＦモードで記録するときには、前記第１の記録媒体に記録された情報に画質が異なる画像が含まれるとき、又は、アスペクト比が異なる画像が含まれるときダビングを抑制する。
【請求項６】
請求項１の記録再生装置であって、
前記選択手段は、前記第１の記録媒体に記録された情報のうち選択した第１の情報と第２の情報とを前記第２の記録媒体に記録できるかを判断する。
【請求項７】
請求項６の記録再生装置であって、
前記選択手段は、前記第１の情報と前記第２の情報の画質又はアスペクト比が異なるときに第２の情報のダビングを禁止する。
【請求項８】
請求項１の記録再生装置であって、
前記選択手段で選択された情報をダビングしたとき、当該情報を削除するかの確認を求める削除確認手段を有する。
【請求項９】
請求項１の記録再生装置であって、
前記選択手段によって選択された第１情報をダビングしたとき、前記第１の記録媒体に当該第１情報以外の第２情報があるとき、当該第２情報のうち少なくとも一部のダビングを実行するかの確認を求める継続確認手段を有する。
【請求項１０】
請求項１の記録再生装置であって、
前記選択手段によって選択された第１情報をダビングしたとき、前記第１の記録媒体に当該第１情報以外の第２情報があるとき、前記選択手段は当該第２情報のうちから前記第２の記録媒体にダビングする情報を選択し、
前記確認手段は、当該第２情報のうちから前記選択手段で選択された情報を表示して確認を求める。
【請求項１１】
請求項１の記録再生装置であって、
画像を撮影する撮像手段と、
音声を入力する録音手段と、
電力を充電する電源手段とを有する。
【請求項１２】
請求項１１の記録再生装置であって、
ワンタッチで前記選択手段を実行させるダビングボタンを有し、
前記撮像手段で画像を撮影しているときに前記ダビングボタンのワンタッチが検出すると前記確認手段による前記表示をする。
【請求項１３】
請求項１１の記録再生装置であって、
前記電源手段とは別のＡＣ電源から電力を入力していないとき、前記選択手段によるダビング情報の選択の実行を抑止する電源監視手段を有する。
【請求項１４】
記録再生装置であって、
第１の記録媒体から情報を再生する再生手段と、
第２の記録媒体に情報を記録する記録手段と、
前記再生手段から前記記録手段へ情報をダビングするとき、前記第２の記録媒体に応じて前記第１の記録媒体の情報のうち前記第２の記録媒体にダビングする情報を選択する選択手段とを有し、
前記選択手段は、前記第１の記録媒体に記録された情報のうち選択した第１の情報と第２の情報とを前記第２の記録媒体に記録できるかを判断する記録再生装置。
【請求項１５】
画像を撮影する撮像部と、
音声を入力する録音部と、
内蔵型の第１の記録媒体に画像を記録する第１記録部と、
交換型の第２の記録媒体に画像を記録する第２記録部と、
前記第１の記録媒体から前記第２の記録媒体１枚にダビング可能な複数の画像を表示させるダビング指示部を有するビデオカメラ。
【請求項１６】
再生装置であって、
第１の記録媒体から情報を再生する再生手段と、
前記再生手段から前記記録手段へ情報をダビングするとき、ダビング先の第２の記録媒体に応じて前記第１の記録媒体の情報のうち前記第２の記録媒体にダビングする情報を選択する選択手段と、
前記選択手段で選択された情報を表示して確認を求める確認手段とを有する再生装置。
【請求項１７】
記録装置であって、
記録媒体に情報を記録する記録手段と、
前記第２の記録媒体に応じて前記第２の記録媒体にダビングする情報を選択する選択手段と、
前記選択手段で選択された情報を表示して確認を求める確認手段とを有する記録装置。
【発明の詳細な説明】
【技術分野】
【０００１】
技術分野は、映像を記録または再生する映像記録再生装置に係り、特に、記録媒体間でデータをダビングする機能に関する。
【背景技術】
【０００２】
本技術分野の背景技術として、例えば特許文献１及び２がある。
【０００３】
特許文献１には課題として「撮像データを記録した記録媒体を手軽に作成できるようにする」と記載され、解決手段として「デジタルビデオカメラ１１は、筐体１２の側面１２ａにカメラ側コネクタ１６を凹設し、撮像データをハードディスク装置に記録する。…記録装置２０は側面に設けたコネクタ２１で、デジタルビデオカメラ１１と直接的な接続を可能にして選択された画像の撮像データを取り込んで光ディスクｄに記録する。」と記載されている（要約参照）。
【０００４】
特許文献２には課題として「記憶装置の大きなサイズの映像データを読み出して残容量の少ない記録媒体に書き込む際、元データのサイズが書き込み先の記録媒体の残容量より大きいと、記録媒体の残容量に入るよう映像データのサイズを自動的に分割して書き込み可能とする。」と記載され、解決手段として「ＤＶＤ１８の残容量に比してＨＤＤ１６のコピー元の大きなサイズのデータをＤＶＤ１８にコピーする際に、残容量が記録されているＤＶＤ１８から残容量を検出し、コピー元データをＤＶＤ１８の残容量に入るサイズに分割して、ＤＶＤ１８にコピーする。その際、ＨＤＤ１６のコピー元データを分割コピーする毎に、コピー済みを示す分割情報をコピー元データに対応させて対応関係テーブルとして作成しておく。そして、次回コピー時、前回の分割コピーに続くデータ部分を別の記録媒体にコピーする際に、前回の分割情報の位置からコピー元データを分割しコピーする。」と記載されている（要約参照）。さらに、００３５段落には、「図３において、ＤＶＤ側がコピー先として選択されている状態で、図示しないリモコンのコピーボタンを操作すると、ＣＰＵ１１はまず、ＤＶＤ１８が保有している残容量情報を読み込み（ステップＳ1）、コピー元のＨＤＤ側のデータ量とコピー先のＤＶＤ側の残容量を比較する（ステップＳ2）。ＨＤＤ側の一続きのデータ量の方がＤＶＤ側の残容量より小さければ、ＨＤＤ側の一続きの全てのデータをＤＶＤ１８にコピーする（ステップＳ5）。」と記載されている
【特許文献１】特開２００５−２７７９５８号公報
【特許文献２】特開２００５−１８２８６４号公報
【発明の開示】
【発明が解決しようとする課題】
【０００５】
近年、映像の記録媒体としてＤＶＤ等の光ディスクをカメラに搭載したＤＶＤカメラが登場し、ランダムアクセスによる記録したシーンの検索性の良さ、未記録箇所にしておかなくとも未記録箇所に記録してくれることで上書防止できる等の使い勝手の良さで、市場に拡大してきている。
【０００６】
一方、小型ハードディスク装置の記録容量がアップしてきたことにより、映像の記録媒体としてカメラに搭載したハードディスクカメラも登場してきている。ここで、ハードディスク装置は高価であるため、ハードディスク装置はカメラに内蔵されているものが一般的である。
【０００７】
このようなハードディスクカメラでは、内蔵されているハードディスク装置は小型のためそれほど大きくなく、全容量を記録してしまうとその後の記録ができなくなってしまうので、記録したシーンを消去する必要があるが、カメラで記録したシーンは我が子の成長の記録等のように二度と手に入らないものもある。そのため、ハードディスクカメラのシーンのデータを外部の機器（ＤＶＤレコーダ、ＰＣ等）を接続してＤＶＤ等にダビングしてから、ハードディスク装置内のシーンのデータを消去することが行われている。また、ハードディスクカメラでは記録した画像を確認するためにはその記録したカメラでしか再生できないので、家庭のテレビで視聴したい場合や、離れたところにいる人に見せたいときにはＤＶＤにダビングすることが行われる。しかし、外部機器を用いるとケーブル配線に不慣れな主婦等にとって操作性が劣る。また、例えばケーブルを持たずに田舎に帰った際に撮影した映像を祖父母とテレビ画面で楽しんだり、渡したりすることなどはできない。
【０００８】
また、外部機器にダビングをする場合には、ハードディスク装置に記録してある全シーン分のデータをＤＶＤへダビングすることが行われている。しかし、上記特許文献１、２では、ＤＶＤ１枚に対してどんなシーンが記録されるかは分からなかった。
【０００９】
しかし、ＤＶＤの１枚ごとに記録されるシーンを知りたい要求があり、例えば全シーンをＤＶＤにダビングするからといって、シーンの組み合わせによっては（例えば、運動会の午前の部で撮った全１０シーンに加えて、運動会の午後の部で撮った全８シーンのうちの１シーンだけが加わった１１シーンがダビングされる場合）、そのままダビングせず例えば編集したいなどの要求がある。この点、従来技術では、１枚のＤＶＤにダビングできるシーンを自動的に表示することには配慮されていないので、ダビング開始前に１枚のＤＶＤにどこまでのシーンが記録されることになるかをユーザが容易に認識できないので使い勝手が悪いという問題があった。
【００１０】
また、特許文献２のようにシーンの途中で勝手に分割してしまうと、ユーザにとっては意図しない位置（例えば運動会の徒競走のスタートとゴールとの間）で分割されたデータが別のＤＶＤへダビングされてしまうという問題が生じる。特にカメラの場合には、放送番組と比べると比較的時間の短いシーンが多く、こういった短いシーンであれば分割するよりもシーンごとにまとめておくことがユーザにとって利点が大きい。
【００１１】
また、異なる媒体へのダビングには種々の制限があるところ、ダビングできるかについてもユーザが予め知ることができず使い勝手が悪いという問題があった。
【課題を解決するための手段】
【００１２】
そこで例えば、第１の媒体（例えばハードディスク）から第２の媒体（光ディスクへダビング）する場合、１枚の第２の媒体に記録することのできる情報を選択してダビング前に表示させる。
【００１３】
また例えば、ダビング先の媒体に応じて、又は、ダビングされる情報の組み合わせに応じて、ダビングできるか否かを表示する。
【発明の効果】
【００１４】
上記手段によれば例えば、どんな情報がダビングされるのか又はダビングできるのかを、ユーザが認識できるので、ユーザは簡易に安心してダビングできる。
【００１５】
上記以外の課題、手段、効果は後述する実施例によって明らかにされる。
【発明を実施するための最良の形態】
【００１６】
本発明の実施に好適な実施形態の例を説明する。映像記録装置としてハードディスクドライブ（以下、ＨＤＤと略す）とＤＶＤ（Digital Versatile Disc）ドライブとを内蔵したデジタルビデオカメラ（以下、単にビデオカメラともいう）を用いて説明する。
【００１７】
なお、本発明は、撮影と停止を細かく繰り返して撮影することで一つ一つのシーンが放送番組などに比べると短めなことも多い、放送番組と異なり撮影順に保存することが多い（放送番組だと録画順というより例えば同じドラマなどの括りで記録することが多いのに対し）、主婦が子供を撮影することも多く簡便な操作性が求められる、携帯するために大きなサイズのハードディスクを積むことが難しい、撮影した映像を手軽にプレーヤで再生したい、等の要求があるビデオカメラに特に有効である。ただし、据え置き型のＤＶＤレコーダ等の他の製品にも有効である。
【００１８】
また、ＤＶＤに限定されず、例えばＢＤ（Blu-ray Disc）やＨＤ（High Definition）−ＤＶＤなどの他の光ディスクであってもよい。また、ＨＤＤと光ディスクの組み合わせに限定されず、例えばＨＤＤと半導体メモリ、光ディスクと半導体メモリとの組み合わせであってもよい。
【実施例１】
【００１９】
実施例１を、図１〜図２１を用いて説明する。
【００２０】
（１）構成概要
図１は、ビデオカメラの構成例を示すブロック図である。
【００２１】
画像を撮影する撮像部１１では、システム制御部１９によってレンズのズームやアイリスが制御されており、撮影した映像を撮像素子（ＣＣＤ（Charge Coupled Devices）センサやＣＭＯＳ（Complementary Metal Oxide Semiconductor）センサ）で電気信号に変換し、ノイズの除去や信号増幅などが行なわれた後デジタル信号に変換される。
【００２２】
撮像部１１から出力されたデジタル信号は、映像処理部１２においてノイズ除去等の各種信号処理が施され、デジタル映像信号となる。映像処理部１２から出力されるデジタル映像信号は、映像画面作成部１３により文字情報等が重畳され、ＬＣＤ（Liquid Crystal Display）やＥＶＦ（Electric View Finder）などの映像表示部１８に送られ撮影中の映像を表示する。なお映像表示部１８は、ＥＬＤ（Electro Luminescence Display）などＬＣＤ以外のディスプレイであってもよい。また、映像表示部１８のＬＣＤとＥＶＦをそれぞれ側面表示部、ファインダー部といって区別することもある。
【００２３】
また、映像処理部１２から出力されるデジタル映像信号は、符号化・複号化処理部１４にも送られ、動画の場合にはＭＰＥＧ２（Moving Picture Experts Group 2）方式で圧縮、符号化された後、選択されているモードに応じて、第１の記録部であるＨＤＤ１５または第２の記録部であるＤＶＤドライブ１６において記録される。
【００２４】
一方、静止画の場合には、ＪＰＥＧ（Joint Photographic Experts Group）方式で圧縮され、メモリーカード１７に記録される。このように、動画を記録できる記録部として、ＨＤＤ１５とＤＶＤドライブ１６の２つを備えている。ここで、本実施例では、ＨＤＤ１５は１インチで記録容量は８ＧＢ、ＤＶＤドライブ１６には８ｃｍＤＶＤがドライブできるようになっている。尚、８ｃｍＤＶＤの記録容量はＤＶＤ−ＲＡＭ（Random Access Memory）の場合、１層で約１．４ＧＢである。
【００２５】
また、本ビデオカメラ全体はシステム制御部１９により制御されており、ユーザからの各種操作や情報入力は操作部２０により行われる。操作部２０の配置例を図２１で説明する。
【００２６】
図２１は、ビデオカメラの外観例を示す。図２１（ａ）は横正面図、図２１（ｂ）は後方斜視図である。
【００２７】
本ビデオカメラの後方部（撮影者側）には電源入／切及びモード切替用の電源・モード切替スイッチ２７０１が配置されておりベルト２７０２に手を通して本ビデオカメラを保持した時に親指で操作できる位置に配置してある。
【００２８】
また、左側面部には映像表示部１８であるＬＣＤを収納したＬＣＤ部（側面表示部）２７０３、ＬＣＤ支点部２７０４があり、ＬＣＤ支点部２７０３によりＬＣＤ部２７０３は開閉及び回転し、ＬＣＤ表示部を外側（図２１（ａ）では紙面側にひっくり返した向き）に向けることもできるようになっている。さらに、ＨＤＤ１５からＤＶＤドライブ１６に挿入したＤＶＤにワンタッチでダビング開始するためのダビングボタン２７０５（図１の２０１）、ナビ画面を表示するためのディスクナビゲーションボタン２７０６、カーソルボタン２７０７が配置されている。
【００２９】
ＬＣＤ部２７０３を開いてＬＣＤの表示部を外側に向けた状態では、ダビングボタン２７０５及びディスクナビゲーションボタン２７０６、カーソルボタン２７０７が画面と同じ側にあるので、ダビング操作をするときに使い勝手がよい。
【００３０】
（２）動作概要
ＨＤＤ１５からＤＶＤドライブ１６に装着されたＤＶＤにダビングする場合の動作の概要を図１、図２、図２１を参照しつつ説明する。
【００３１】
操作部２０からの操作により電源オン・ＨＤＤモードにしさらにディスクナビゲーションボタン（図２１の２７０６）を押すと、画面情報生成部１９２はＨＤＤ１５に記憶されている各シーンのサムネイル画情報を読み出しサムネイル一覧画面情報を生成し、映像画面生成部１３に送る。映像画面生成部１３ではサムネイル一覧画面情報を元にサムネイル一覧画面（ナビ画面）を生成し、映像表示部１８のＬＣＤで表示する。
【００３２】
この状態で、ユーザが操作部２０のダビングボタン２０１を押すと、システム制御部１９はダビングボタン２０１が押されたことを検知して、ＨＤＤ１５に記録されている全シーンをＤＶＤドライブ１６に装着されているＤＶＤにダビングする全選択ダビング処理に入る。
【００３３】
システム制御部１９は、ＨＤＤ１５やＤＶＤドライブ１６に装着されているＤＶＤの情報を入手し記録できるかや動作状態等の本ビデオカメラがダビングできる状態にあるかをチェックする（詳細は図４のダビング事前チェック処理で後述）。
【００３４】
その後、ＨＤＤ１５に記録されているシーンの数やデータ量等の情報とＤＶＤドライブ１６に装着されているＤＶＤの記録残容量とから装着されているＤＶＤへ記録できるシーンを選択するように、選択シーン算出部１９１により算出する（詳細は図５のダビングシーン自動選択で後述）。選択シーン算出部１９１では、ＨＤＤ１５に記録されている最初のシーンから順番に、装着されているＤＶＤの残容量以下のデータ量となるシーンまでを選択し、ダビング対象シーンとして選択する。
【００３５】
図２は、本実施例による対象シーンのデータの選択例を示す。選択シーン算出部１９１による対象シーンのデータの選択例を図２を用いて説明する。ここでは、ＤＶＤの残容量は１．４ＧＢであり、ＨＤＤ１５に記録されているシーンＡのデータ量は０．５ＧＢ、シーンＢのデータ量は０．２ＧＢ、シーンＣのデータ量は０．５ＧＢ、シーンＤ、Ｅ、Ｆ、Ｇのデータ量は０．３ＧＢの場合で説明する。
【００３６】
ダビングボタン２０１が押されると、装着されているＤＶＤ１にダビングするシーンのデータをＨＤＤに記録されているデータの先頭のシーンＡからＤＶＤ１の残容量を超えない範囲で選択している。ここで、シーンＡ、Ｂ、Ｃの合計容量は１．２ＧＢでＤＶＤの１．４ＧＢ以下であるが、シーンＡ、Ｂ、Ｃ、Ｄの合計容量は１．５ＧＢとでＤＶＤの１．４ＧＢを超えてしまうので、ＤＶＤ１にはシーンＡ、Ｂ、Ｃをダビング対象と選択する。
【００３７】
ＤＶＤ１へのダビングが終了して次のＤＶＤ２が挿入されると、未ダビングシーンのデータの先頭であるシーンＤからＤＶＤ２の残容量を超えない範囲で選択している。残りのシーンＤ、Ｅ、Ｆ、Ｇの合計容量は１．２ＧＢでＤＶＤの１．４ＧＢ以下であるので、ＤＶＤ２にはシーンＤ、Ｅ、Ｆ、Ｇをダビング対象と選択する。
【００３８】
選択シーン算出部１９１によりダビング対象シーンが選択されると、画面情報生成部１９２によりＨＤＤ１５にあるダビング対象シーンに対応するサムネイル画情報を読み出し、ダビング動作の実行を確認するための表示とダビング対象シーンのサムネイル画とを合成したダビング確認画面情報を生成し、映像画面生成部１３に送る。映像画面生成部１３ではダビング確認画面情報を元にダビング確認画面を生成し、映像表示部１８で表示する（図３のステップ３０９）。
【００３９】
その後、ダビング動作の続行を決定すると、選択されたシーンのデータがＨＤＤ１５から読み出されて、ＤＶＤドライブ１６に装着されたＤＶＤにダビングする動作が開始される。ＨＤＤ１５に記録されている全シーンをダビングした場合には、画面情報生成部１９２はダビング済シーン削除確認画面情報を生成し、映像画面生成部１３を介して映像表示部１８にダビング済シーン削除確認画面を表示する（図３のステップ３２４）。
【００４０】
ダビング済シーン削除確認画面にて削除を実行すると、ダビング済のシーンのデータをＨＤＤ１５から消去して、全選択ダビング処理を終了して、元のナビ画面に戻る。
【００４１】
また、１枚目のＤＶＤに選択されたダビング対象シーンをダビングした後、ダビング対象シーンの他にダビングされずに残っている未ダビングのシーンがある場合には、画面情報生成部１９２は２枚目のＤＶＤにダビングを続行するためにＤＶＤ交換を要求するダビング継続確認画面情報を生成し、映像画面生成部１３を介して映像表示部１８にダビング継続確認画面を表示する（図３のステップ３１９）。
【００４２】
ここでユーザがＤＶＤを交換すると、１枚目のＤＶＤのときと同様に、システム制御部１９は本ビデオカメラがダビングできる状態にあるかをチェックし、さらに選択シーン算出部１９１は再度交換したＤＶＤに記録可能なシーンを選択し、画面情報生成部１９２によりダビング確認画面用情報を生成し、映像画面生成部１３を介して映像表示部１８にダビング確認画面を表示する。以降ＨＤＤ１５にある未ダビングのシーンがなくなるまで繰り返して、ＤＶＤへ各シーンのデータをダビングする。
【００４３】
上記説明したように、本実施例では、ＨＤＤ１５からＤＶＤへダビングしようとした場合、ダビングボタン２０１を押しただけで１枚のＤＶＤに記録されることになるシーンのサムネイル画を自動的に表示している。そのため、ダビング開始前に１枚のＤＶＤにどこまでのシーンが記録されることになるかをユーザが容易に認識することができる。さらに、ダビングを実行するかどうかの確認用の表示もサムネイル画と同時に表示しているので、表示されたサムネイル画が意図したものでないときに、直ぐにダビングを中止できるので使い勝手がよい。また、ビデオカメラ本体にダビングボタン２０１を設けているので、リモコンを持ち運ばなくてもダビングを開始でき、使い勝手が良い。
【００４４】
（３）動作詳細
ビデオカメラが実行する上述したダビング処理の流れを図３〜２０のフローチャートと画面表示例とを参照しつつ詳細に説明する。ここでは、ＨＤＤ１５には７つのシーンが記録されているものとする。
【００４５】
図３は全シーンダビング処理の流れを示すフローチャート、図４は図３のステップ３０７のダビング事前チェックの処理の流れを示すフローチャート、図５は図３のステップ３０８のダビングシーン自動選択の処理の流れを示すフローチャートである。これらフローチャートのステップの順番は入れ換えもでき、またステップの増減も可能である。なお、特に明記のない場合、フローチャートの処理はシステム制御部１９（画面情報生成部１９２、選択シーン算出部１９１を含む）が実行するものとし、その機能に応じて選択部、確認部、電源監視部などともいう。
【００４６】
また、図６はＨＤＤモード時のナビ画面の表示例、図７はダビング自動選択中の画面表示例、図８はダビング確認画面表示例、図９は選択シーン確認画面表示例、図１０はダビング中画面表示例、図１１はＤＶＤ取り出し確認画面、図１２はダビング継続確認画面表示例、図１３はディスク挿入要求画面表示例、図１４はダビング失敗画面表示例、図１５はダビング済シーン削除確認画面表示例、図１６はＤＶＤ交換後のダビング確認画面表示例、図１７はＤＶＤ交換後の選択シーン確認画面表示例、図１８はアダプタアラーム画面表示例、図１９はＤＶＤ初期化確認画面表示例、図２０はシーン選択画面表示例である。
【００４７】
（３−１）全シーンダビング処理
ステップ３０１（図中ではステップをＳＴと表現、以下同じ）で操作部２０の電源・モード切替スイッチ（図２１の２７０１）によりＨＤＤ１５を記録媒体として動作するＨＤＤモードにし、ステップ３０２で操作部２０のディスクナビゲーションボタン（図２１の２７０６）を押下すると、ステップ３０３で、ＨＤＤ１５に記録されているシーンのサムネイル画の一覧（ナビ画面）を図６に示すように表示する。
【００４８】
図６のナビ画面の中央部にはシーンの代表画であるサムネイル画（Ａ〜Ｇ）６０３と、選択されているサムネイル画を示すための黄色枠６０４（図中は斜線で表示）が表示されている。画面上部には、タイトルバー６０１に画面のタイトルである「全シーン」と全シーン数「００７」と、現在選択されているサムネイル画Ａ６０３の番号「００１」を表示している。画面下部には操作ガイド６０２に選択されているサムネイル画のシーンを見るための再生ボタンマークと、本ナビ画面のシーンの記録先であるＨＤＤマークとが表示されている。
【００４９】
ステップ３０４でダビングボタン２０１の押下を検出すると、ステップ３０５で全選択ダビング処理を開始する。ステップ３０６で、ダビング対象シーンの自動選択中を示す図７のダビング自動選択中画面を表示し、ステップ３０７のダビング事前チェック処理に進む。
【００５０】
なお、ステップ３０２でナビゲーションボタンが押されなくとも、例えば撮影中（撮像した画像を画像表示部に表示するカメラスルー中）にダビングボタン２０１が押下されると、図７の画面を表示する。また、ダビングボタン２０１が押下されなくとも、ステップ３０３からメニューの選択操作を経て「シーン自動選択」が実行された場合にもステップ３０５を実行する。
【００５１】
ステップ３０７で、ＤＶＤドライブ１６に装着されているＤＶＤの情報を入手し記録できるか、ＨＤＤ１５にシーンは記録されているか、本ビデオカメラの動作状態等の情報から本ビデオカメラがダビングできる状態にあるかを事前チェックする。ステップ３０７で本ビデオカメラがダビングできる状態にあることを判別すると、ステップ３０８のダビングシーン自動選択処理へ進む。
【００５２】
ステップ３０８で、ＨＤＤ１５に記録されているシーンの数やデータ量等の情報とＤＶＤドライブ１６に装着されているＤＶＤの記録残容量とから装着されているＤＶＤへ記録できるダビング対象シーンを選択する。尚、ここでは図２で説明したように、シーンＡ〜Ｃまでのシーンが１枚目のＤＶＤへのダビング対象シーンとして選択されている。このように、シーンが選択されていない状態であってもダビングボタン２０１をワンタッチすると、ＤＶＤ１枚に記録できる複数のシーンが自動的に選択される。
【００５３】
ステップ３０８でダビング対象シーンが選択されると、ステップ３０９で図８のダビング確認画面を表示する。ダビング確認画面の中央部にはダビング対象シーンとして選択されたシーンＡ〜Ｃに対応するサムネイル画（Ａ〜Ｃ）８０３と、ダビング動作の実行を確認するためのダビング確認表示８０５が表示される。画面下部の操作ガイド８０２には、ダビング動作を続行するかどうかを決定するための再生ボタンマークと、選択シーンを確認するためのカーソル上ボタンマークとが表示されている。このダビング確認画面を見て、ユーザは選択されたシーンが意図したものかを判断してから、ダビングを続行またはダビングを中止したりすることができる。このように、ダビングボタン２０１を押しただけで１枚のＤＶＤに記録されることになるシーンのサムネイル画を自動的に表示している。そのため、ダビング開始前に１枚のＤＶＤにどこまでのシーンが記録されることになるかをユーザが容易に認識することができる。さらに、ダビングを実行するかどうかの確認用の表示もサムネイル画と同時に表示しているので、表示されたサムネイル画が意図したものでないときに、直ぐにダビングを中止できるので使い勝手がよい。
【００５４】
ステップ３０９のダビング確認画面で、ユーザは選択されたシーンが意図したものかを判断して、ダビングを続行する場合は、ステップ３１０で操作部２０のカーソルボタン（図２１の２７０７）によりダビング確認表示８０５の「はい」を選択し決定ボタンを押下する。ダビングを中止する場合はステップ３１４でダビング確認表示８０５の「いいえ」を選択し決定ボタンを押下するとステップ３３１で全選択ダビング処理を終了し元のナビ画面に戻る。
【００５５】
ステップ３０９のダビング確認画面で、ダビング対象シーンが全部表示し切れていない場合やダビング対象シーン以外の全シーンを確認したい場合は、選択シーン確認ボタンを押下すると、ステップ３１２で図９に示すように選択シーン確認画面表示を表示する。画面中央部には全シーンのサムネイル画（Ａ〜Ｇ）９０３と、ダビング対象シーンを示すための赤色枠９０６（図は黒塗りで表示）と、選択されているサムネイル画を示すための黄色枠９０４（図中は斜線で表示）が表示されている。画面上部にはタイトルバー９０１に画面のタイトルである「ダビングシーン確認」と全シーン数「００７」と、現在選択されているサムネイル画Ｄ９０３の番号「００４」を表示している。画面下部には操作ガイド９０２にダビング対象シーン確認表示を終了してダビング確認画面に戻るための停止ボタンが表示されている。また、記録日時表示モードのときには、画面下部にある操作ガイド９０２に、選択したシーンＤの情報である画質：「ＦＩＮＥ」、アスペクト比：「１６：９」、シーンＤの記録時間である「６分４０秒」が表示される。
【００５６】
ステップ３１３で停止ボタンを押下するとステップ３０９のダビング確認画面に戻る。このようにダビング対象シーンが多い場合でも、ダビング開始前にユーザが容易に認識することができる。
【００５７】
ステップ３１０でダビング動作を続行するためにカーソルボタン２７０７によりダビング確認表示８０５の「はい」を選択し決定ボタンを押下すると、ステップ３１５で図１０に示すようにダビング中を示すダビング中画面を表示し、ダビング動作を開始する。ここで、ダビングするシーンのサイズと転送速度や書込速度から所要時間の目安を算出して表示している。ステップ３１６でダビングが正常に終了したかどうかを判断し、正常に終了していない場合はステップ３２３でダビング失敗を示すダビング失敗画面を表示して、ステップ３３１で全選択ダビング処理を終了し元のナビ画面に戻る。
【００５８】
ステップ３１６でダビングが正常に終了した場合は、ステップ３１７でダビングの終了を示すダビング終了画面を表示する。ステップ３１８でダビング対象シーンの他にダビングされずに残っている未ダビングのシーンがあるかを判断し、未ダビングのシーンがない場合にはステップ３２４に移行する。このとき、システム制御部１９はダビング継続状態であることをメモリに覚えておく。ステップ３１８で未ダビングのシーンがある場合には、ステップ３１９で図１２に示すように続けて２枚目のＤＶＤにダビングするかを確認するためのダビング継続確認画面を表示する。画面下部の操作ガイド１２０２にはダビング終了のための停止ボタンマークが表示されている。
【００５９】
ステップ３２０で、２枚目のＤＶＤにダビングを継続するためのＥｊｅｃｔボタンかダビングを終了すための停止ボタンを押されたことを判断する。ステップ３２０でダビングを終了するために停止ボタンが押されたと判断した場合は、ステップ３２４に移行する。
【００６０】
ステップ３２０で２枚目のＤＶＤにダビングを継続するためのＥｊｅｃｔボタンが押されたと判断した場合は、ステップ３２１で図１３に示すように２枚目のＤＶＤと交換を要求するためのディスク挿入要求画面を表示し、ステップ３２２でＤＶＤドライブ１６に２枚目のＤＶＤを挿入して、ディスクカバーが閉まったことを確認すると、ステップ３０６のダビングシーン自動選択中の画面を表示して、未ダビングのシーンがなくなるまでステップ３０６からステップ３２２を繰り返す。図１３で停止ボタンが押されると、ステップ３３１へ進んでダビング処理を終了する。
【００６１】
ステップ３１８で未ダビングのシーンがないと判断されるか、ステップ３２０でダビングを終了するために停止ボタンが押されたと判断された場合は、ステップ３２４で図１５に示すようにダビング済のシーンのデータを削除するかどうかを確認するためのダビング済シーン削除確認画面を表示する。ダビング済シーン削除確認画面の中央部にはダビング済シーンのデータをＨＤＤ１５から消去するかどうかを確認するためのシーン削除確認表示１５０５が表示される。画面下部の操作ガイド１５０２にはダビング済シーンのデータの消去を続行するかどうかを決定するための再生ボタンマークが表示されている。このダビング済シーン削除確認画面で、ユーザがダビング済シーンのデータをＨＤＤ１５から消去しない場合には、ステップ３２５でカーソルボタン２７０７によりシーン削除確認表示１５０５の「いいえ」を選択・決定すると、ステップ３３１で全選択ダビング処理を終了し元のナビ画面に戻る。なお、ダビングが無事に完了した後にＨＤＤ１５に記録されているシーンを削除するかを、ダビング開始前（例えばステップ３１０の後）に選択させるようにしておくと、ユーザがダビングを指示した後に放置しておけば、ダビングと削除とが完了するようになるのでよい。
【００６２】
ステップ３３１において、ＤＶＤを取り出せることを示す図１１のＤＶＤ取出確認画面を表示することで、ユーザに取り出し可能を知らせる。
【００６３】
ステップ３２５でカーソルボタン２７０７によりシーン削除確認表示１５０５の「はい」が選択・決定されると、ステップ３２７でダビング済シーンのデータの消去中を示すシーン削除中画面を表示する。ステップ３２８でダビング済シーンのデータがＨＤＤ１５から正常に削除されたかどうかを判断し、正常に削除された場合にはステップ３２９でシーンを削除したことを示すシーン削除終了画面を表示し、ステップ３３１で全選択ダビング処理を終了し元のナビ画面に戻る。尚、このときはＨＤＤ１５の全シーンを削除しているのでナビ画面にはサムネイル画は表示されない。
【００６４】
ステップ３２８で正常に削除されなかった場合は、ステップ３３０でシーンが削除できなかったことを示すシーン削除失敗画面を表示し、ステップ３３１で全選択ダビング処理を終了し元のナビ画面に戻る。このときは、未削除であったシーンのサムネイル画のみ表示される。
【００６５】
ステップ３２２でＤＶＤドライブ１６に２枚目のＤＶＤを挿入して、ディスクカバーが閉まったことを確認しステップ３０６のダビングシーン自動選択中の画面を表示後、ステップ３０７でＤＶＤドライブ１６に装着されている２枚目のＤＶＤの情報を入手し記録できるか、ＨＤＤ１５にシーンは記録されているか、本ビデオカメラの動作状態等の情報から本ビデオカメラがダビングできる状態にあるかを事前チェックする。ステップ３０７で本ビデオカメラがダビングできる状態にあることを判別すると、ステップ３０８で、ＨＤＤ１５に記録されている未ダビングであるシーンの数やデータ量等の情報とＤＶＤドライブ１６に装着されている２枚目のＤＶＤの記録残容量とから装着されている２枚目のＤＶＤへ記録できるダビング対象シーンを選択する。尚、ここでは図２で説明したように、シーンＤ〜Ｇまでのシーンが２枚目のＤＶＤへのダビング対象シーンとして選択されている。
【００６６】
ステップ３０８で２枚目のＤＶＤへのダビング対象シーンが選択されると、ステップ３０９で図１６に示すようにダビング確認画面を表示する。ダビング確認画面の中央部にはダビング対象シーンとして選択されたシーンＤ〜Ｇに対応するサムネイル画（Ｄ〜Ｇ）１９０３と、ダビング動作の実行を確認するためのダビング確認表示１９０５が表示される。ステップ３０９のダビング確認画面で、ダビング対象シーンが全部表示し切れていない場合やダビング対象シーン以外の全シーンを確認したい場合は、選択シーン確認ボタンを押下すると、ステップ３１２で図１７に示すように選択シーン確認画面表示を表示する。画面中央部には全シーンのサムネイル画（Ａ〜Ｇ）２００３と、ダビング対象シーンを示すための赤色枠２００６（図は黒塗りで表示）と、選択されているサムネイル画を示すための黄色枠２００４（図中は斜線で表示）が表示されている。画面上部にはタイトルバー２００１に画面のタイトルである「ダビングシーン確認」と全シーン数「００７」と、現在選択されているサムネイル画Ａ２００３の番号「００１」を表示している。このように、ダビングするＤＶＤ毎にダビング対象シーンのサムネイル画を表示するので、ダビングが複数毎のＤＶＤになった場合でも、装着されているＤＶＤにダビングするシーンが容易に認識できるため使い勝手が良い。
【００６７】
（３−２）ダビング事前チェック処理
次に、ステップ３０７のダビング事前チェック処理について、図４を用いて詳細に説明する。ステップ４０１でダビング事前チェック処理を開始すると、ステップ４０２で本ビデオカメラの温度が使用温度範囲内にあるかを判断し、使用温度範囲外の高温や低温状態にあると判断した場合（ステップ４０２でＮｏ）には例えば「動作温度範囲外」とのメッセージを表示して、ステップ４１５で全選択ダビング処理を終了し元のナビ画面に戻る。ステップ４０２で使用温度範囲内と判断されると、ステップ４０３に進む。
【００６８】
ステップ４０３で、ＡＣ（alternate current）アダプターからの電源供給で動作しているかを判別し、ＡＣアダプターではなくバッテリからの電源供給で動作して場合はステップ４０４で図１８に示すようにアダプタアラーム画面を表示し、ユーザにアダプター／チャージャーを使用するように要求し、ステップ４１５で全選択ダビング処理を終了し元のナビ画面に戻る。ステップ４０３でＡＣアダプターからの電源供給で動作している場合は、ステップ４０５に進む。
【００６９】
ステップ４０５で本ビデオカメラがダビング動作をできるモードかどうかを判断する。例えば、録画中やＤＶＤの初期化中のようにダビング動作ができないと判断した場合は、ステップ４１５で全選択ダビング処理を終了し元のナビ画面に戻る。
【００７０】
ステップ４０５で本ビデオカメラがダビング動作をできるモードの場合は、ステップ４０６でＨＤＤ１５に記録されているシーンがあるかどうかを判断する。記録されているシーンがない場合にはステップ４１５で全選択ダビング処理を終了し元のナビ画面に戻る。
【００７１】
ステップ４０６でＨＤＤ１５に記録されているシーンがある場合には、ステップ４０７でＤＶＤドライブ１６にＤＶＤが挿入されているか判断する。ＤＶＤが挿入されていない場合（ステップ４０６でＮｏ）には、例えば「ダビングできるシーンがありません」とのメッセージを表示して図３のステップ３２２に戻る。
【００７２】
ステップ４０７でＤＶＤドライブ１６にＤＶＤが挿入されている場合には、ステップ４０９でＤＶＤの認識を行うとともに種別やプロテクト情報や残容量等のＤＶＤの情報を取得し、ステップ４１０で挿入されているＤＶＤが記録できるディスクであるか判別する。ステップ４１０で挿入されているＤＶＤが記録残量がないＤＶＤである場合や、ＤＶＤ−ＲＯＭ等の読み出し専用ＤＶＤであるなどビデオカメラで書き込みできない種類のＤＶＤである場合には、例えば「ＤＶＤに記録残量がありません」「このＤＶＤは使用できません」と表示して、図３のステップ３２２に戻る。
【００７３】
ステップ４１０で挿入されているＤＶＤが記録できるディスクであった場合は、ステップ４１１で挿入されているＤＶＤがフォーマット（初期化）済かどうかを判断する。
【００７４】
ステップ４１１で挿入されているＤＶＤがフォーマット（初期化）されていないものである場合は、ステップ４１６でＤＶＤの初期化をするかどうかを確認するための図１９のＤＶＤ初期化確認画面を表示する。ＤＶＤ初期化確認画面の中央部にはＤＶＤの初期化をするかどうかを確認するためのＤＶＤ初期化確認表示２２０５が表示される。画面下部の操作ガイド２２０２にはＤＶＤの初期化をするかどうかを決定するための再生ボタンマークが表示されている。このＤＶＤ初期化確認画面で、ユーザがＤＶＤの初期化をしない場合には、ステップ４１７でカーソルボタン２７０７によりＤＶＤ初期化確認表示２２０５の「いいえ」を選択・決定すると、ステップ４１５で全選択ダビング処理を終了し元のナビ画面に戻る。
【００７５】
ステップ４１７でカーソルボタン２７０７によりＤＶＤ初期化確認表示２２０５の「はい」を選択・決定すると、ステップ４１８でＤＶＤの初期化中を示すＤＶＤ初期化中画面を表示する。ステップ４１９でＤＶＤ初期化でエラーが発生したかを判断し、エラーが発生した場合はステップ４２０でＤＶＤの初期化が失敗したことを示すＤＶＤ初期化失敗画面を表示し、ステップ４１５で全選択ダビング処理を終了し元のナビ画面に戻る。
【００７６】
ステップ４１９でＤＶＤ初期化でエラーが発生しなかったと判断した場合は、ステップ４０２に戻りダビング事前チェック処理を開始する。
【００７７】
ステップ４１１でフォーマット済の場合はステップ４１２で挿入されているＤＶＤがプロテクト解除されているかを判断し、プロテクトされている場合には、ステップ４１５で全選択ダビング処理を終了し元のナビ画面に戻る。また、ナビ画面に戻らず、例えば「ＤＶＤのプロテクトを解除しますか？」とのメッセージを表示して解除された場合には、ステップ４１３に進んでもよい。また、ＳＴ４１２でＮｏとなったことを覚えたままＳＴ４１３、４１４に進んだ後に、そのメッセージを表示するようにしてもよい。
【００７８】
ステップ４１２で挿入されているＤＶＤがプロテクト解除されている場合には、ステップ４１３で、ＨＤＤ１５に記録されている先頭シーンのデータが１．４ＧＢ未満かを判断する。１．４ＧＢ以上の場合は、例えば「先頭のシーンが大きいです。シーンを分割してください」とのメッセージを表示し、ステップ４１５で全選択ダビング処理を終了し元のナビ画面に戻る。ここで、１．４ＧＢ未満かどうかを判断しているのは、本ビデオカメラのＤＶＤドライブ１６に挿入する８ｃｍタイプのＤＶＤ−ＲＡＭの記録容量が１層で最大１．４ＧＢであり、先頭シーンのデータがこの１．４ＧＢより大きい場合にはダビングができなくなるからである。ＤＶＤの記録容量が違うものを使用する場合には、この１．４ＧＢの値を変更しても構わない。さらにＤＶＤの種類毎に、この値を変更するように、ＤＶＤ種類（層の数も含む）と最大記録容量との対応をテーブルにして記憶しておき、挿入したＤＶＤの種類に合わせて１．４ＧＢの値を変更するようにしても構わない。また、ＢＤやＨＤ−ＤＶＤであってもよい。また、８ｃｍに限定されない。また、ナビ画面に戻らず、シーンを分割する画面を表示してもよい。
【００７９】
ステップ４１３で、ＨＤＤ１５に記録されている先頭シーンのデータが１．４ＧＢ未満と判断した場合は、ステップ４１４でダビング事前チェック処理を終了し、ステップ３０８のダビングシーン自動選択処理に移行する。
【００８０】
（３−３）ダビングシーン自動選択処理
次に、ステップ３０８のダビングシーン自動選択処理について、図５を用いて詳細に説明する。ステップ５０１でダビングシーン自動選択処理を開始すると、ステップ５０２でダビングシーン自動選択処理で使用する各値の初期化処理をする。ここでは、ＨＤＤ１５に記録してあるシーンデータのシーン番号Ｎ、選択したシーンの総データ量である選択シーン総容量とシーン総ＰＧ（プログラム）数とシーン総ＥＰ（エントリポイント）数、及びダビング対象として選択したシーンの数である選択シーン数Ｍをそれぞれ「０」にし、シーンがＤＶＤに入るか比較するためのＤＶＤ残容量として挿入されているＤＶＤの認識時（ステップ４０９）に取得した残容量とする。
【００８１】
ステップ５０３でダビングが２枚目以降のＤＶＤに継続中かを判断し、継続中ではない場合、すなわち１枚目のＤＶＤの場合はステップ５０５に移行する。継続中の場合は、ステップ５０４でシーン番号Ｎに前回のダビング処理でダビング済のシーンの新番号を代入する。
【００８２】
ステップ５０５では、シーン番号Ｎをインクリメントして、シーン番号（Ｎ＋１）とし、ステップ５０６で選択シーン数Ｍをインクリメントして選択シーン数（Ｍ＋１）とする。
【００８３】
ステップ５０７でＨＤＤ１５側のシーン番号（Ｎ＋１）のシーンの情報を取得し、ステップ５０８で選択シーン総容量をシーン番号（Ｎ＋１）の容量、シーン総ＥＰ数をシーン番号（Ｎ＋１）までのＥＰ数、シーン総ＰＧ数をシーン番号（Ｎ＋１）までのＰＧ数とし、ステップ５０９で選択シーン数が２未満かどうか判断する。
【００８４】
ステップ５０９で選択シーン数が２未満の場合、すなわち１の場合は、ステップ５１０でダビング総容量チェックを行い選択シーン総容量がステップ４０９で取得したＤＶＤの残容量以下かを判断し、選択シーン総容量がＤＶＤ残容量より大きい場合は、先頭のシーンのデータ容量が挿入したＤＶＤの残容量より少ないのでダビングができないことになるので、ステップ５１３で図２５に示すようにダビングできないことを示すエラーメッセージ画面を表示し、ステップ５１４で全選択ダビング処理を終了し元のナビ画面に戻る。ステップ５１０で選択シーン総容量がＤＶＤの残容量以下の場合は、さらにステップ５１１でシーン総ＰＧ数が９９以下か、ステップ５１２ではシーン総ＥＰ数が９９９以下かを判断し、それぞれシーン総ＰＧ数が９９以下、シーン総ＥＰ数が９９９以下の場合は、次のシーンがダビングシーンとして選択できるかを判断するためにステップ５０５に戻る。ステップ５１１、ステップ５１２で、それぞれシーン総ＰＧ数が９９より大きい、シーン総ＥＰ数が９９９より大きい場合は、ステップ５１３で図２５に示すようにダビングできないことを示すエラーメッセージ画面を表示し、ステップ５１４で全選択ダビング処理を終了し元のナビ画面に戻る。
【００８５】
ステップ５０９で選択シーン数が２以上の場合は、ステップ５１５で選択シーン総容量がステップ４０９で取得したＤＶＤの残容量以下の場合は、さらにステップ５１６でシーン総ＰＧ数が９９以下か、ステップ５１７ではシーン総ＥＰ数が９９９以下かを判断し、それぞれシーン総ＰＧ数が９９以下、シーン総ＥＰ数が９９９以下の場合は、次のシーンがダビングシーンとして選択できるかを判断するためにステップ５０５に戻りシーン番号を（Ｎ＋２）、ステップ５０６で選択シーン数を（Ｍ＋２）とし、ステップ５０７からステップ５１７までを繰り返す。ステップ５１５で選択シーン総容量がＤＶＤ残容量より大きい、ステップ５１６、ステップ５１７で、それぞれシーン総ＰＧ数が９９より大きい、シーン総ＥＰ数が９９９より大きいとなった場合には、ステップ５１８でそれまでのシーン番号Ｎ−１（繰り返す毎にインクリメントされた数）番目までのシーンをダビング対象シーンとして選択するとともにダビング済シーン番号としてＮ−１を保持し、ステップ５１９でダビングシーン自動選択処理を終了して、図３のステップ３０９でダビング確認画面を表示する。
【００８６】
ここで、図２のデータを使用して図５のダビングシーン自動設定処理を具体的に説明する。ここでは、シーン総ＰＧ数、シーン総ＥＰ数の説明は省略する。また、使用するＤＶＤの残容量は１．４ＧＢとする。
【００８７】
まず、１枚目のＤＶＤ時には、ステップ５０３ではダビング継続状態ではないのでステップ５０５でシーン番号を１、ステップ５０６で選択シーン数を１として、ステップ５０７でシーン１（シーンＡ）の情報としてデータ量０．５ＧＢを取得し、ステップ５０７では選択シーン総容量は０．５ＧＢとなり、ステップ５０９では選択シーン数は１であるのでステップ５１０で、選択シーン総容量がステップ４０９で取得したＤＶＤの残容量１．４ＧＢ以下のためステップ５０５に戻る。ステップ５０５でシーン番号を２、ステップ５０６で選択シーン数を２として、ステップ５０７でシーン２（シーンＢ）の情報としてデータ量０．２ＧＢを取得し、ステップ５０７では選択シーン総容量は０．７ＧＢとなり、ステップ５０９では選択シーン数は２であるのでステップ５１５で、選択シーン総容量がステップ４０９で取得したＤＶＤの残容量１．４ＧＢ以下のためステップ５０５に戻る。これをシーン番号３、シーン番号４と繰り返しステップ５０５でシーン番号を４のときには、ステップ５０６で選択シーン数を４として、ステップ５０７でシーン４（シーンＤ）の情報としてデータ量０．３ＧＢを取得し、ステップ５０７では選択シーン総容量は１．５ＧＢとなり、ステップ５０９では選択シーン数は４であるのでステップ５１５で、選択シーン総容量がステップ４０９で取得したＤＶＤの残容量１．４ＧＢより大きいためステップ５１８でシーン番号３（＝４−１）までのシーンであるシーンＡ、Ｂ、Ｃをダビング対象シーンとして選択するとともにダビング済シーン番号として３（＝４−１）を保持し、ステップ５１９でダビングシーン自動選択処理を終了して、図３のステップ３０９でダビング確認画面を表示する。
【００８８】
ステップ３２２で２枚目のＤＶＤが挿入されてディスクカバーが閉まったことを確認後、ステップ３０６、３０７の後ステップ３０８でダビングシーン自動選択処理を開始すると、ステップ５０３ではダビング継続状態のためステップ５０４でステップ５１８で保持したダビング済シーン番号３をシーン番号として代入する。ステップ５０５でシーン番号を４として以降ステップ５０６から５１９を繰り返すことによりシーンＤ、Ｅ、Ｆ、Ｇを２枚目のＤＶＤへのダビング対象シーンとして選択する。
【００８９】
なお、図４又は図５において、他のチェック項目を設けてもよい。例えば、１タイトル中にアスペクト比が１６：９と４：３の画像を混在してＶＦ（ビデオフォーマット）規格の１枚のＤＶＤに記録することが許されていないので（特にＤＶＤ−ＲとＤＶＤ−ＲＷのＶＦモード）、ＨＤＤ１５に記録されているシーンがアスペクト比が１６：９と４：３の画像の混在である場合には、例えば「一部ダビングできないシーンがあります」「アスペクト比が異なる画像があります」「ＤＶＤ−Ｒの場合、ワイドモードの混在はできません」「ＤＶＤ−ＲＷ（ＶＦ）の場合、ワイドモードの混在はできません」等とのメッセージを表示する。この後、ナビ画面に戻ってもよいし、ユーザにシーンを選択させるシーン選択画面を表示してもよい。このシーン選択画面では、先頭シーンにカーソルを置いておいてもよいが、アスペクト比が先頭シーンと異なる画像にカーソルを置いておくようにするとユーザに対して、どの画像のアスペクト比がことなるのかより分かりやすい。
【００９０】
また、ビデオカメラで撮影した画質モード（例えば、スタンダードモードとファインモードとエクストラモード）が混在している場合もアスペクト比の場合と同様の処理を行ってもよい。すなわち、「一部ダビングできないシーンがあります」「画質モードが異なる画像があります」「ＤＶＤ−Ｒの場合、動画画質の混在はできません」「ＤＶＤ−ＲＷ（ＶＦ）の場合、動画画質の混在はできません」等とのメッセージを表示し、ユーザにシーンを選択させるシーン選択画面を表示する場合には、画質モードが先頭シーンと異なる画像にカーソルを置いておくようにしてもよい。また、アスペクト比と画質モードの組み合わせが規格外の場合にも、例えば「動画画質「ＳＴＤ」とワイドモード「オン」で記録されたシーンがあります」とのメッセージを表示するようにしてもよい。また、ＨＤＤ１５上で画質の異なるシーンを結合する編集をすることができる場合には、例えば「画質の異なるシーンが結合されているため、ＤＶＤ−ＲＷ（ＶＦ）の場合、ダビングできません」とのメッセージを表示するようにしてもよい。また、図５で説明したＰＥ／ＥＰ数の限界値を超えている場合には、例えば「登録可能なシーンを越えています。ダビングできません」とのメッセージを表示するようにしてもよい。
【００９１】
以上、全選択ダビング処理について説明した。ここで、全選択とはＨＤＤ５１に記録されている全シーンのデータをダビングするものとして説明したが、ビデオカメラに挿入されているＤＶＤ１枚だけに入るシーンを自動的に選択する処理であっても同様である。この場合、ステップ３１８をなくし、ステップ３１６からステップ３２４やステップ３１１に進むようにしてもよい。
【００９２】
（３−４）シーン指定ダビング処理
シーンを自動的に選択する処理について説明したが、ユーザにダビングするシーンを選択させることもできる。この場合、図３のステップ３０３のナビ画面から操作を経由して「シーン指定」が実行されると、ステップ３０５に行かず、シーン指定ダビング処理を実行する。シーンをユーザに指定させるシーン選択画面の例を図２０に示す。
【００９３】
図２０に示すように、画面中央部にはシーンのサムネイル画（Ａ〜Ｇ）３１０３と、ユーザによって選択されたダビング対象シーンを示すための赤色枠３１０６（図は黒塗りで表示）と、選択されているサムネイル画を示すための黄色枠３１０４（図中は斜線で表示）が表示されている。なお、赤色枠３１０６は先頭シーンを含まないように選択も可能である。画面上部にはタイトルバー３１０１に画面のタイトルである「ダビング（シーン選択）」を表示している。また、３１０７はＤＶＤの容量を視覚的に示す容量バーであり、バーの左欄（左下斜線）はＤＶＤに既に記録されている容量の目安、バーの中央欄（右下斜線）は赤色枠３１０６と黄色枠３１０４が付された既に選択されているシーンの容量の目安、バーの右欄（白抜）は記録又は選択されているシーン以外に記録できるＤＶＤの空き容量の目安を示す。このようなバーを表示することで、ユーザはＤＶＤの残容量を考慮しつつダビングするシーンを選択できる。このバーを図９に表示するようにしても、ユーザは自動選択されたシーンがＤＶＤのどの程度の容量に記録されるものなのかやＤＶＤにダビング前からどの程度の容量が記録されているかが分かってよい。画面下部には操作ガイド３１０２に選択したシーンでのダビングを決定させる決定ボタンの案内と、選択されたシーンを全て解除させる選択全解除ボタンの案内とを表示する。
【００９４】
シーン指定ダビング処理においても、図４や図５で上述したチェック処理を実行する。ただし、方式が異なるシーンが混在することによるエラーについては、全体シーン選択とは異なるため、説明する。
【００９５】
方式が異なるシーンが混在することによるエラーとは、例えば上述した、シーン間でアスペクト比が異なること、シーン間で画質が異なること、等である。全体シーン選択では、ＨＤＤ１５に含まれるシーン又は全体シーン選択処理で選択されるシーンに、アスペクト比が異なったり画質が異なったりするシーンがあるとメッセージを表示するようにしていた。シーン選択処理では、ユーザによって既に選択されたシーン（図２０でいう赤色枠３１０６のシーン）と選択されているシーン（図２０でいう黄色枠３１０４）とで比較して、アスペクト比が異なったり画質が異なったりすると図２０に示すメッセージを表示するようにするとよい。
【００９６】
また、既に選択されたシーンと同じＤＶＤにダビングできないシーンを選択される前から示すとユーザが選択する前から分かってよい。示す方法としてはバツマークを付す、変色させる、選択不可能にするなどがある。
【実施例２】
【００９７】
実施例２として、シーンが多いときに好適なダビング確認画面表示例を図２２に示す。実施例１の表示例である図８と違う部分を中心に説明する。
【００９８】
実施例１ではダビング対象シーンのサムネイル画を１画面最大４つしか表示できないので、図９のようなダビングシーン確認画面表示を準備したが、本実施例２では選択シーン数に合わせたサムイネル数を表示するように、１つ１つのサムネイル画を縮小している。ここではシーンＡ〜Ｇまでの７つのシーンが選択された場合のサムネイル画２８０３（Ａ〜Ｇ）を示している。このように表示することによりダビング対象シーンの数が多くなっても、１つの画面で確認できるので使い勝手が良い。
【００９９】
さらに、ダビング対象シーンが４つまでの場合は図８の表示をし、ダビング対象シーンが４以上になったら図２２の表示と切り替えるようにしても構わない。これにより、ダビング対象シーンが少ない時は大きなサムネイル画で、ダビング対象シーンが多くなった場合は小さなサムネイル画で１つの画面で内容を確認することができ、使い勝手が良い。
【実施例３】
【０１００】
実施例３として、シーンが多いときに好適なダビング確認画面表示の他の例を図２３に示す。実施例１の表示例である図８と違う部分を中心に説明する。
【０１０１】
本実施例３ではサムネイル画２９０３の大きさは実施例１の図８と同じだが、ダビング確認表示２９０５の表示を小さくして、最大８つのサムネイル画が表示できるようになっている。このように表示することによりダビング対象シーンの数が多くなっても、１つの画面で確認できるので使い勝手が良い。
【０１０２】
さらに、ダビング対象シーンが４つまでの場合は図８の表示をし、ダビング対象シーンが４以上になったら図２３の表示と切り替えるようにしても構わない。
【実施例４】
【０１０３】
実施例４として、シーンが多いときに好適なダビング確認画面表示の他の例を図２４に示す。実施例１の表示例である図８と違う部分を中心に説明する。
【０１０４】
本実施例４では、選択シーン数に合わせたサムネイル数を表示するように、１つ１つのサムネイル画３００３を縮小するとともにダビング確認表示３００５の表示を小さくして、選択シーン数が多くなっても１つの画面でダビング対象シーンのサムネイル画が表示できるようになっている。このように表示することによりダビング対象シーンの数が多くなっても、１つの画面で確認できるので使い勝手が良い。
【０１０５】
さらに、ダビング対象シーンが４つまでの場合は図８の表示をし、ダビング対象シーンが４以上になったら図２４の表示と切り替えるようにしても構わない。これにより、ダビング対象シーンが少ない時は大きなサムネイル画で、ダビング対象シーンが多くなった場合は小さなサムネイル画で１つの画面で内容を確認することができ、使い勝手が良い。
【０１０６】
以上、実施例１から４を説明した。
【０１０７】
以上の実施例では、ステップ３０９でのダビング確認画面表示でダビング対象シーンのサムネイル画とダビング確認表示とを同じ画面に表示するようにしたが、別々に表示するようにしても構わない。例えば、ステップ３０９で、まずサムネイル画を所定時間表示後、ダビング確認表示に切り替えるようにしても良い。
【０１０８】
また、ダビング動作はＡＣアダプターからの電源供給時にのみ可能としているが、バッテリからの電源供給時にダビング動作をするようにしても構わない。ダビングするシーンが少ない場合には電力消費も少ないので、ダビングが途中で停止してしまうことも少ない。さらに、ダビングにかかる時間とバッテリ駆動可能時間とを比較して、ダビング時間よりバッテリ駆動時間の方が長い場合にはダビング動作に入るようにしても良い。また所定量以上のバッテリ残量がある場合にダビングを許可するようにしてもよい。このようにすれば、アダプターがない場合でもダビングすることができる。
【０１０９】
また、ダビング中のボタン操作については、ダビング中は録画ボタンや停止ボタン、電源切等の操作を受け付けないようにすることが望ましい。
【０１１０】
また、図５のダビングシーン自動選択処理では、容量とＥＰ数とＰＧ数とに基づいて選択したが、例えば同じ日付に撮影され且つ１枚のＤＶＤに記録できるシーンといったように撮影日等の他の条件にも基づいて選択するようにしてもよい。また、これらを組み合わせることもできる。例えば、ダビングボタン２０１を１回押すと図５の処理を実行し、２回押すと同じ日付に撮影され且つ１枚のＤＶＤに記録できるシーンを選択するようにしてもよい。
【図面の簡単な説明】
【０１１１】
【図１】ビデオカメラの構成例を示す
【図２】ダビングするデータの選択例を示す
【図３】ビデオカメラの全シーンダビング時の全体の処理の流れを示す
【図４】ビデオカメラの全シーンダビング時のダビング事前チェックの処理の流れを示す
【図５】ビデオカメラの全シーンダビング時のダビングシーン自動選択の処理の流れを示す
【図６】ＨＤＤモード時のナビ画面の表示例を示す
【図７】ダビング自動選択中の画面表示例を示す
【図８】ダビング確認画面表示例を示す
【図９】選択シーン確認画面表示例を示す
【図１０】ダビング中画面表示例を示す
【図１１】ＤＶＤ取出確認画面表示例を示す
【図１２】ダビング継続確認画面表示例を示す
【図１３】ディスク挿入要求画面表示例を示す
【図１４】ダビング失敗画面表示例を示す
【図１５】ダビング済シーン削除確認画面表示例を示す
【図１６】ＤＶＤ交換後のダビング確認画面表示例を示す
【図１７】ＤＶＤ交換後の選択シーン確認画面表示例を示す
【図１８】アダプタアラーム画面表示例を示す
【図１９】ＤＶＤ初期化確認画面表示例を示す
【図２０】シーン選択画面表示例を示す
【図２１】ビデオカメラの外観例を示す
【図２２】実施例２のダビング確認画面表示例を示す
【図２３】実施例３のダビング確認画面表示例を示す
【図２４】実施例４のダビング確認画面表示例を示す
【符号の説明】
【０１１２】
１１…撮像部、１２…映像処理部、１３…映像画面作成部、１４…符号化・複号化処理部、１５…ＨＤＤ、１６…ＤＶＤドライブ、１７…メモリーカード、１８…映像表示部、１９…システム制御部、２０…操作部、１９１…選択シーン算出部、１９２…画面情報生成部、２０１…ダビングボタン、６０１、９０１、２００１…タイトルバー、６０２、８０２、１２０２、１５０２、２２０２、２６０２…操作ガイド、６０３、８０３、９０３、１９０３、２００３、２８０３、２９０３、３００３…サムネイル画、６０４、９０４、２００４…黄色枠、８０５、１９０５、２９０５、３００５…ダビング確認表示、９０６、２００６…赤色枠、１５０５…シーン削除確認表示、２２０５…ＤＶＤ初期化確認表示、２７０１…電源・モード切替スイッチ、２７０２…ベルト、２７０３…ＬＣＤ部、２７０４…ＬＣＤ支点部、２７０５…ダビングボタン、２７０６…ディスクナビゲーションボタン、２７０７…カーソルボタン
【図１】
2007336116.tif 000003
【図２】
2007336116.tif 000004
【図３】
2007336116.tif 000005
【図４】
2007336116.tif 000006
【図５】
2007336116.tif 000007
【図６】
2007336116.tif 000008
【図７】
2007336116.tif 000009
【図８】
2007336116.tif 000010
【図９】
2007336116.tif 000011
【図１０】
2007336116.tif 000012
【図１１】
2007336116.tif 000013
【図１２】
2007336116.tif 000014
【図１３】
2007336116.tif 000015
【図１４】
2007336116.tif 000016
【図１５】
2007336116.tif 000017
【図１６】
2007336116.tif 000018
【図１７】
2007336116.tif 000019
【図１８】
2007336116.tif 000020
【図１９】
2007336116.tif 000021
【図２０】
2007336116.tif 000022
【図２１】
2007336116.tif 000023
【図２２】
2007336116.tif 000024
【図２３】
2007336116.tif 000025
【図２４】
2007336116.tif 000026